(57)【特許請求の範囲】
【請求項１】
放射線照射システムであって、前記放射線照射システムは、放射線照射装置、および被照射体を前記放射線照射装置に搬送して照射する治療ベッドを含み、前記治療ベッドは、被照射体を載置するための載置台、載置台を支持するための支持部、および載置台に設けられ、かつ被照射体を位置決めするための位置決めアセンブリを含み、前記位置決めアセンブリは、遮蔽体、および前記遮蔽体を収容する封止バッグを含み、前記遮蔽体は、ポリマー、および放射線を遮蔽できる放射線遮蔽材料を含み、前記位置決めアセンブリに被照射体が設けられる場合に、前記位置決めアセンブリの被照射体が設けられた場所が、前記被照射体を位置決めするように被照射体の形状に合わせて窪んで前記被照射体に対応する輪郭を形成し、
前記遮蔽体は、シリカゲル、放射線遮蔽材料およびシリカゲル硬化剤で作製され、前記封止バッグ中の遮蔽体は固体粒子状であり、封止バッグに対して真空排気をした後に、前記位置決めアセンブリの被照射体が設けられた場所が、前記被照射体を位置決めするように被照射体の形状に合わせて窪んで前記被照射体に対応する輪郭を形成し、封止バッグ表面の被照射体が除去されて、封止バッグが空気で満たされる時、前記位置決めアセンブリは真空排気前の状態に復し、
前記放射線照射システムは、中性子と光子とを含む混合放射場の中性子捕捉治療システムであり、前記放射線照射装置は、中性子捕捉治療装置であり、前記遮蔽体は中性子捕捉材料である、
放射線照射システム。
【請求項２】
前記中性子捕捉治療装置は、中性子発生部、ビーム整形体、ビーム出口およびコリメータを含み、前記ビーム整形体は、緩速体、および緩速体の外周にコーティングされた反射体を含み、前記中性子発生部は、荷電粒子ビームにより照射された後に中性子を発生させ、前記緩速体は、中性子発生部から発生された中性子を予め設定されたエネルギースペクトルに減速させ、前記反射体は、偏向した中性子を戻させ、予め設定されたエネルギースペクトル内の中性子強度を向上させ、前記コリメータは、ビーム出口から出てくる中性子ビームを集中させるために前記ビーム出口の外側に隣接し、前記中性子捕捉材料は、中性子を遮蔽することができ、前記中性子捕捉材料は、ホウ素含有化合物またはリチウム含有化合物の少なくとも１つからなることを特徴とする、請求項１に記載の放射線照射システム。
【請求項３】
前記ホウ素含有化合物またはリチウム含有化合物は、前記中性子捕捉材料の重量の１０％〜４９％を占め、さらに前記ホウ素含有化合物は１０Ｂ４Ｃまたは１０ＢＮであり、前記リチウム含有化合物はＬｉＦまたは６ＬｉＦであり、前記中性子捕捉材料には、さらに、Ｌｉ、Ｃ、Ｏ、Ｓｉ、およびＢｒも含まれることを特徴とする、請求項２に記載の放射線照射システム。
【請求項４】
前記載置台および支持部はいずれも合金材料からなり、前記載置台および支持部の表面は遮蔽部でコーディングされ、前記遮蔽部は前記位置決めアセンブリ中の遮蔽体と同じ材料であることを特徴とする、請求項１〜３のいずれか１項に記載の放射線照射システム。
【請求項５】
前記治療ベッド上に載置台の上面と位置決めアセンブリの下面との間に位置する補助部材がさらに設けられ、前記補助部材は炭素繊維材料からなり、前記位置決めアセンブリは前記補助部材上に配置されることを特徴とする、請求項１に記載の放射線照射システム。
【請求項６】
放射線照射システム用の位置決めアセンブリであって、前記位置決めアセンブリは、遮蔽体、および前記遮蔽体を収容する封止バッグを含み、前記遮蔽体は、ポリマー、および放射線を遮蔽できる放射線遮蔽材料を含み、前記位置決めアセンブリに被照射体が設けられる場合に、前記位置決めアセンブリの被照射体が設けられた場所が、前記被照射体を位置決めするように被照射体の形状に合わせて窪んで前記被照射体に対応する輪郭を形成し、
前記遮蔽体は、シリカゲル、放射線遮蔽材料およびシリカゲル硬化剤で作成され、前記封止バッグ中の遮蔽体は固体粒子状であり、封止バッグに対して真空排気をした後に、前記位置決めアセンブリの被照射体が設けられた場所が、前記被照射体を位置決めするように被照射体の形状に合わせて窪んで前記被照射体に対応する輪郭を形成し、封止バッグ表面の被照射体が除去されて、封止バッグが空気で満たされる時、前記位置決めアセンブリは真空排気前の状態に復し、
前記放射線照射システムは、中性子と光子とを含む混合放射場の中性子捕捉治療システムであり、前記放射線照射装置は、中性子捕捉治療装置であり、前記遮蔽体は中性子捕捉材料である、
放射線照射システム用の位置決めアセンブリ。
【発明の詳細な説明】
【技術分野】
【０００１】
本発明は、放射線照射システムに関し、特に放射線照射システム用の位置決めアセンブリに関する。
【背景技術】
【０００２】
核技術関連産業の急速な発展に伴い、高エネルギー放射線は既に産業、医療、科学研究など多くの分野で広く利用され、それによる放射線安全と防護の問題もますます重要になり、主な防護オブジェクトは、中性子および光子中のＸ線およびγ線である。
【０００３】
特に医療分野では、中性子捕捉治療を例にし、中性子源を用いて治療ベッド上の患者の腫瘍部位を照射し、中性子捕捉治療の中性子源が原子炉から来るかまたは加速器荷電粒子と中性子発生部との核反応から来るかにかかわらず、発生した放射場はいずれも混合放射場であり、すなわち、ビームは、低エネルギーから高エネルギーの中性子、光子、特に中性子を含み、熱中性子以外の放射線が人体に照射されると、それは人体の正常組織にある程度の損傷を与えなければならず、かつ治療ベッドは常にマグネシウム合金またはアルミニウム合金のような合金材料で製造されるため、放射線照射を受けた後に中性子を吸収しやすいことによって活性化され、したがって、治療ベッド上の患者に対しても、治療後に治療ベッドと接触する医療従事者に対しても、それは大きな健康上の隠れた危険である。
【発明の概要】
【０００４】
放射線照射治療中に放射線治療以外の被照射体部位に対する放射線損傷を回避するために、本発明の一態様は、放射線照射システムを提供し、前記放射線照射システムは、放射線照射装置、および被照射体を前記放射線照射装置に搬送して照射する治療ベッドを含み、前記治療ベッドは、被照射体を載置するための載置台、載置台を支持するための支持部、および載置台に設けられ、かつ被照射体を位置決めするための位置決めアセンブリを含み、前記位置決めアセンブリは、遮蔽体、および前記遮蔽体を収容する封止バッグを含み、前記遮蔽体は、ポリマー、および放射線を遮蔽できる放射線遮蔽材料を含み、前記位置決めアセンブリに被照射体が設けられる場合に、前記位置決めアセンブリの被照射体が設けられた場所が、前記被照射体を位置決めするように被照射体の形状に合わせて窪んで前記被照射体に対応する輪郭を形成する。位置決めアセンブリを設けて被照射体を位置決めすることによって、被照射体の照射治療中の移動による治療効果の差異が回避される。
【０００５】
さらに、位置決めアセンブリが異なる体型の被照射体に対して再利用できるように、好ましくは、本出願において、前記遮蔽体は、前記シリカゲル、放射線遮蔽材料およびシリカゲル硬化剤で作製され、前記封止バッグ中の遮蔽体は固体粒子状であり、封止バッグに対して真空排気をした後に、前記位置決めアセンブリの被照射体が設けられた場所が、前記被照射体を位置決めするように被照射体の形状に合わせて窪んで前記被照射体に対応する輪郭を形成する。封止バッグ表面の被照射体が除去されて、封止バッグが空気で満たされる時、前記位置決めアセンブリは真空排気前の状態に復する。
【０００６】
当然、封止バッグ内の遮蔽体を液状にした場合（シリカゲル硬化剤を使用しない場合）に、封止バッグに対して真空排気をすることにより、位置決めアセンブリが被照射体の形状に合わせて窪んで被照射体を位置決めする固定部を形成させてもよい。
【０００７】
さらに、前記放射線照射システムは中性子捕捉治療システムであり、前記放射線照射装置は中性子捕捉治療装置であり、前記放射線遮蔽材料は中性子捕捉材料であり、前記中性子捕捉治療装置は、中性子発生部、ビーム整形体、ビーム出口およびコリメータを含み、前記ビーム整形体は、緩速体、および緩速体の外周にコーティングされた反射体を含み、前記中性子発生部は、荷電粒子ビームにより照射された後に中性子を発生させ、前記緩速体は、中性子発生部から発生された中性子を予め設定されたエネルギースペクトルに減速させ、前記反射体は、偏向した中性子を戻させ、予め設定されたエネルギースペクトル内の中性子強度を向上させ、前記コリメータは、ビーム出口から出てくる中性子ビームを集中させるために前記ビーム出口の外側に隣接し、前記中性子捕捉材料は、中性子を遮蔽することができ、前記中性子捕捉材料は、ホウ素含有化合物またはリチウム含有化合物の少なくとも１つからなる。
【０００８】
さらに、前記ホウ素含有化合物またはリチウム含有化合物は、前記中性子捕捉材料の重量の１０％〜４９％を占め、さらに前記ホウ素含有化合物は１０Ｂ４Ｃまたは１０ＢＮであり、前記リチウム含有化合物はＬｉＦまたは６ＬｉＦであり、さらに、好ましくは、前記中性子捕捉材料には、さらに、Ｌｉ、Ｃ、Ｏ、Ｓｉ、およびＢｒも含まれる。
【０００９】
さらに、放射線による治療ベッド上の他の部品が活性化されて医療従事者および被照射体に損傷を与えることを防止するために、好ましくは、前記治療ベッド上に載置台の上面と位置決めアセンブリの下面との間に位置する補助部材がさらに設けられ、前記補助部材は炭素繊維材料からなり、前記位置決めアセンブリは前記補助部材上に配置される。同時に、前記載置台および支持部はいずれも合金材料からなり、前記載置台および支持部の表面は遮蔽部でコーディングされ、前記遮蔽部は前記位置決めアセンブリ中の遮蔽体と同じ材料である。前記遮蔽部は、中性子照射後の合金材料の活性化反応による治療ベッドに接触する可能性のある被照射体または医療従事者の健康にリスクを与えることを防止するために、前記載置台および支持部の表面にコーディングされる。
【００１０】
放射線照射治療中に放射線治療以外の被照射体部位に対する放射線損傷を回避するために、本発明の一態様は、放射線照射システム用の位置決めアセンブリを提供し、前記位置決めアセンブリは、遮蔽体、および前記遮蔽体を収容する封止バッグを含み、前記遮蔽体は、ポリマー、および放射線を遮蔽できる放射線遮蔽材料を含み、前記位置決めアセンブリに被照射体が設けられる場合に、前記位置決めアセンブリの被照射体が設けられた場所が、前記被照射体を位置決めするように被照射体の形状に合わせて窪んで前記被照射体に対応する輪郭を形成する。位置決めアセンブリを設けて被照射体を位置決めすることによって、被照射体の照射治療中の移動による治療効果の差異が回避される。
【００１１】
さらに、前記遮蔽体は、前記シリカゲル、放射線遮蔽材料およびシリカゲル硬化剤からなり、前記封止バッグ内の遮蔽体は複数の固体粒子状であり、封止バッグに対して真空排気をした後に、前記位置決めアセンブリの被照射体が設けられた場所が、前記被照射体を位置決めするように被照射体の形状に合わせて窪んで前記被照射体に対応する輪郭を形成する。封止バッグ表面の被照射体が除去されて、封止バッグが空気で満たされる時、前記位置決めアセンブリは真空排気前の状態に復する。
【００１２】
さらに、放射線照射治療中に放射線治療以外の被照射体部位に対する放射線損傷を回避するために、本発明の一態様は、放射線照射システムを提供し、前記放射線照射システムは、放射線照射装置、および被照射体を前記放射線照射装置に搬送して照射する治療ベッドを含み、前記治療ベッドは、被照射体を載置するための載置台、載置台を支持するための支持部、および載置台に設けられ、かつ被照射体を位置決めするための位置決めアセンブリを含み、前記位置決めアセンブリは、第一状態および第二状態を有し、前記位置決めアセンブリが第一状態にあるときに、前記位置決めアセンブリは外部圧力によって変形されず、または第一変形状態に維持され、位置決めアセンブリが第二状態にあるときに、前記位置決めアセンブリは外部圧力によって変形され、または第一変形状態とは異なる第二変形状態に維持される。
【００１３】
さらに、放射線照射治療中に放射線治療以外の被照射体部位に対する放射線損傷を回避するために、本発明の一態様は、放射線照射システム用の位置決めアセンブリを提供し、前記放射線照射システムは、放射線照射装置、および被照射体を前記放射線照射装置に搬送して照射する治療ベッドを含み、前記位置決めアセンブリは被照射体を位置決めし、前記位置決めアセンブリは、第一状態および第二状態を有し、前記位置決めアセンブリが第一状態にあるときに、前記位置決めアセンブリは外部圧力によって変形されず、または第一変形状態に維持され、前記位置決めアセンブリが第二状態にあるときに、前記位置決めアセンブリは外部圧力によって変形され、または第一変形状態とは異なる第二変形状態に維持される。
【００１４】
本出願において、前記位置決めアセンブリの第一状態は、２つの場合を含み、１つは位置決めアセンブリが外部圧力を受けずに変形しない状態であり、もう１つは位置決めアセンブリが外部圧力によって変形した状態である（本出願ではそれを第一変形状態と称する）。第二状態は、２つの場合を含み、１つは位置決めアセンブリが外部圧力によって変形した状態であり（第一変形状態と同じ状況として理解することができる）、もう１つは位置決めアセンブリが外部圧力によって第一変形状態とは異なる第二変形状態にある。
【００１５】
従来技術に比べて、本出願における放射線照射システムは、被照射体を固定させる位置決めアセンブリを設けることによって、被照射体の照射治療中の移動による治療効果の差異が回避される。同時に、放射線照射治療中に放射線治療以外の被照射体部位に対する放射線損傷を回避するように、該位置決めアセンブリを用いて放射線を遮蔽する。
【図面の簡単な説明】
【００１６】
【図１】中性子捕捉治療システムの概略図である。
【図２】本発明の治療ベッドの概略図である。
【図３】本発明の位置決めアセンブリの断面図である。
【図４】本発明の載置台および支持部材の概略図である。
【図５】中性子の反応率を測定するためにコリメータと金属箔との間に遮蔽体を設ける概略図である。
【図６】中性子の反応率を測定するためにコリメータと金属箔との間にＰＭＭＡを設ける概略図である。
【発明を実施するための形態】
【００１７】
核技術関連産業の急速な発展に伴い、放射線は既に産業、医療、科学研究などの多くの分野で広く使用され、それにより放射線安全と防護の問題もますます重要になり、特に医療分野であり、中性子捕捉治療を例にして、中性子捕捉治療は近年癌の有効な治療手段としてますます使用され、このうち、ホウ素中性子捕捉治療が最も一般的であり、ホウ素中性子捕捉治療を供給する中性子は原子炉または加速器によって供給される。
【００１８】
中性子捕捉治療の中性子源が原子炉から来るかまたは加速器荷電粒子と中性子発生部との核反応から来るかにかかわらず、発生した放射場はいずれも混合放射場であり、すなわち、ビームは、低エネルギーから高エネルギーの中性子、光子を含む。深部腫瘍へのホウ素中性子捕捉治療について、過熱中性子に加えて、他の放射線含有量が多いほど、正常組織への非選択的投与量の割合が大きくなり、したがってこれらの不要な線量を引き起こす可能性がある放射線は可能な限り低減すべきである。また、マグネシウム合金またはアルミニウム合金などの合金材料からなる治療ベッドに放射線を照射すると、放射線の照射によって合金材料が活性化され、したがって、治療ベッド上の患者に対しても、治療後に治療ベッドと接触する医療従事者に対しても、それは大きな健康上の隠れた危険である。
【００１９】
図１に示すとおり、本出願は、中性子捕捉治療システム１００を提供し、前記中性子捕捉治療システムは、中性子捕捉治療装置２００、および被照射体を前記中性子捕捉治療装置２００に搬送して照射治療を行うことができる治療ベッド３００を含む。
【００２０】
前記中性子捕捉治療装置２００は、中性子発生部１０、ビーム整形体２０、ビーム出口３０およびコリメータ４０を含む。前記ビーム整形体２０は、緩速体２１、および緩速体２１の外周にコーティングされた反射体２２を含み、前記中性子発生部１０は、荷電粒子ビームＰにより照射された後に中性子Ｎを発生させ、前記緩速体２１は、中性子発生部１０から発生された中性子Ｎを予め設定されたエネルギースペクトルに減速させ、前記反射体２２は、予め設定されたエネルギースペクトル内の中性子強度を向上させるために偏向した中性子を戻させ、前記コリメータ４０は、ビーム出口３０から出てくる中性子ビームを集中させるために前記ビーム出口３０の外側に隣接する。
【００２１】
図２に示すとおり、前記治療ベッド３００は、被照射体を載置するための載置台５０、載置台５０を支持するための支持部５１、および載置台５０に設けられ、かつ前記被照射体に対して位置決め可能な位置決めアセンブリ５２を含む。
【００２２】
図３に示すとおり、前記位置決めアセンブリ５２は、封止バッグ５３、および前記封止バッグ５３内に収容された遮蔽体５４を含み、前記遮蔽体５４は、シリカゲル、中性子捕捉材料およびシリカゲル硬化剤からなり、前記シリカゲルを他のポリマーに置き換えてもよく、かつ、前記遮蔽体５４中のシリカゲルを基材として使用され、当然、前記シリカゲルは他のポリマーテープに置き換えることもでき、その詳細な説明はここでは繰り返さない。前記中性子捕捉材料は、ホウ素含有化合物またはリチウム含有化合物の少なくとも１つからなり、前記ホウ素含有化合物またはリチウム含有化合物は、前記中性子捕捉材料の重量の１０％〜５０％を占める。本実施形態において、前記中性子捕捉材料は１０ＢＮを選択して、かつ前記中性子捕捉材料はさらにＬｉ、Ｃ、Ｏ、ＳｉおよびＢｒを含む。
【００２３】
前記封止バッグ５３内の遮蔽体５４は固体粒子状構造であり、前記封止バッグ５３に封止口５５が設けられ、前記封止口５５は外部の真空排気装置（図示せず）に接続される。被照射体が前記位置決めアセンブリ５２に設けられた後、前記封止バッグ５３内の固体粒子状の遮蔽体５４は、被照射体の重力により窪んで前記被照射体の輪郭と同じ形状に形成し、前記真空排気装置（図示せず）を用いて前記封止バッグ５３に対して真空排気し、前記位置決めアセンブリ５２上に窪んだ前記被照射体の輪郭と同じ形状に形成して前記被照射体を位置決めすることができる。封止バッグ５３の内部が真空状態になっていないとき、前記位置決めアセンブリ５２は、被照射体が位置決めアセンブリ５２に設けられる前の状態に復元することができる。本出願における前記位置決めアセンブリ５２は、再使用することができ、かつ異なる体型の被照射体に適用することができることが分かる。
【００２４】
本出願において、前記固体粒子状は、０．０１ｍｍ〜１０ｍｍの間の最大直径を有する固体を指す。
【００２５】
当然、遮蔽体は、シリカゲルおよび中性子捕捉材料から直接作製することができ、この場合に作製された遮蔽体は、一定の粘稠性を有する流動性液体である。前記流動性状態の遮蔽体を前記封止バッグ５３に注入し、被照射体が位置決めアセンブリ５２に設けられた後、封止バッグ５３内の流動性状態の遮蔽体は、被照射体の重力により窪んで前記被照射体の輪郭と同じ形状に形成し、前記真空排気装置（図示せず）を用いて前記封止バッグ５３に対して真空排気し、前記位置決めアセンブリ５２上に前記被照射体の輪郭と同じ形状に窪んだ形状は前記被照射体を位置決めすることができる。
【００２６】
図４に示すとおり、本出願において、前記載置台５０および支持部５１はいずれも合金材料で作製され、前記載置台５０および支持部５１の表面にいずれも、前記載置台５０および支持部５１の中性子ビーム照射後の活性化を回避することができる遮蔽部５４’がコーディングされる。ここで、前記遮蔽部５４’は全文で説明した位置決めアセンブリ５２の封止バッグ５３中の固体粒子状の遮蔽体５４の材料と同じである。すなわち、前記載置台５０および支持部５１の表面にコーディングされた遮蔽部５４’は、封止バッグ５３にコーディングされた遮蔽体５４と実質的に同一であり、単に表現態様上の違いである。前記載置台５０および支持部５２の表面にコーディングされた遮蔽部５４’の厚さは１ｃｍ以上である。
【００２７】
前記治療ベッド３００は、さらに載置台５０の上面と位置決めアセンブリ５２の下面との間に位置する補助部材６０が設けられ、前記補助部材６０は炭素繊維材料からなり、前記位置決め部材５２は前記補助部材６０の上に設けられる。
【００２８】
図５および図６は、中性子放射線に対する遮蔽体の遮蔽効果を検出する概略図である。図５において、コリメータ４０と金属箔７０との間に遮蔽体５４が設けられ、図６において、遮蔽体５４はＰＭＭＡ（中性子にいずれの遮蔽効果を持たないポリメチルメタクリレート）で置き換えられ、前記ＰＭＭＡのサイズは遮蔽体５４のサイズと全く同じである。本出願において、金属箔７０および検出器８０を用いて中性子放射線に対する中性子捕捉材料の遮蔽効果を検出する。具体的には、前記金属箔７０（例えば銅板）を遮蔽体５４のコリメータ４０から離れた側の表面（コリメータ４０からの距離がＡである位置）に配置し、前記検出器８０は前記金属箔７０に接続され、中性子捕捉治療装置２００は、前記金属箔７０に中性子ビームを照射し、検出器８０により中性子ビームが遮蔽体５４を経て中性子遮蔽を行った後に金属箔７０に照射する中性子反応率を検出する。同様に、前記金属箔７０をコリメータ４０から離れたＰＭＭＡ側の表面（コリメータ４０の距離がＡである位置）に配置し、前記検出器８０は前記金属箔７０に接続され、中性子捕捉治療装置２００は前記金属箔７０に中性子ビームを照射し、検出器８０により中性子ビームが直接金属箔７０に照射する中性子反応率を検出する。
【００２９】
【表１】
0006833064.tif 000002
【００３０】
表１において、ＲＲは中性子ビームが前記遮蔽体を通過した後に金箔片（銅片など）に照射される中性子反応率であり、ＲＲｒｅｆは中性子ビームが金箔片（銅片など）に直接照射される中性子反応率であり、ＲＲとＲＲｒｅｆとの比により、本出願における中性子に対する前記遮蔽体の遮蔽は確かに良好な効果を有し、かつ、ＲＲとＲＲｒｅｆとの比が小さいほど、中性子に対する遮蔽体の遮蔽効果がより良好であることが分かる。
【００３１】
当然、表１に記載の１０ＢＮ含有量が前記中性子捕捉材料の重量の１０％〜４９％を占めることが好ましい実施形態のみであり、実際の製造中に、１０ＢＮ含有量が前記中性子捕捉材料の重量の１０％〜１００％を占め（図７に示すとおり）、しかし、１０ＢＮ含有量が前記中性子捕捉材料の重量の４９％以上を占めるときに中性子放射線に対する遮蔽体の遮蔽能力は、１０ＢＮ含有量が前記中性子捕捉材料の重量の１０％〜４９％を占めるときに中性子放射線に対する遮蔽体の遮蔽能力に比べてあまり改善されず、製造コストを考慮して、前記中性子捕捉材料の重量に対する１０ＢＮの含有量は１０％〜４９％が好ましい。
【００３２】
なお、測定の精度を確保するために、金属箔７０を用いて中性子反応率ＲＲ（遮蔽体５４が設けられた）およびＲＲｒｅｆ（遮蔽体５４が設けられない）を検出する過程において、前記金属箔７０のコリメータ４０に対する位置は同じである。
【００３３】
当然、本願において、前記中性子捕捉治療システムおよび中性子を遮蔽するための中性子捕捉材料を例にして詳細に説明したが、本出願における技術的解決手段は他の放射線照射システムにも適用することができ、本出願は一つずつ例を挙げて説明することがない。
【００３４】
また、ここに開示された放射線照射システムは、上記の実施形態に記載された内容および図面に示された構造に限定されない。本出願における基礎上にそのうちの部品の材料、形状、および位置に対する明らかな変更、置換、または修正は、いずれも本出願に請求された保護範囲内にある。
【図１】
0006833064.tif 000003
【図２】
0006833064.tif 000004
【図３】
0006833064.tif 000005
【図４】
0006833064.tif 000006
【図５】
0006833064.tif 000007
【図６】
0006833064.tif 000008